【手続補正書】
【提出日】平成17年12月12日(2005.12.12)
【手続補正１】
【補正対象書類名】明細書
【補正対象項目名】発明の名称
【補正方法】変更
【補正の内容】
【発明の名称】撮像装置及びその制御方法、並びにコンピュータ読み取り可能な制御プログラム
【手続補正２】
【補正対象書類名】明細書
【補正対象項目名】特許請求の範囲
【補正方法】変更
【補正の内容】
【特許請求の範囲】
【請求項１】  被写体像を作る光学系と、該光学系により作られた光学像を電気信号に変換する撮像手段と、該撮像手段の出力に基づいて撮影条件を決定する制御手段と、光軸に対する前記撮像手段の傾斜を検出する傾斜検出手段とを有し、前記制御手段は、前記撮像手段の露光期間中に、前記傾斜検出手段によって前記撮像手段の傾斜が検出されたか否かを判定し、露光期間中に傾斜が検出された場合には、前記撮像手段の出力に基づく撮影条件の決定方法を変更することを特徴とする撮像装置。
【請求項２】  前記撮像手段から得られた画像を逐次表示する表示手段を有し、前記制御手段は、該表示手段に画像を表示している場合にのみ、前記傾斜検出手段の検出結果に基づいて前記撮像手段の出力を使用するか否かを決定することを特徴とする請求項１に記載の撮像装置。
【請求項３】  前記制御手段は、被写界輝度を導出する測光動作を制御することを特徴とする請求項１または２に記載の撮像装置。
【請求項４】  前記制御手段は、被写体の色温度を導出する測色動作を制御することを特徴とする請求項１または２に記載の撮像装置。
【請求項５】  前記制御手段は、被写体の合焦度合いを導出する合焦動作を制御することを特徴とする請求項１または２に記載の撮像装置。
【請求項６】  前記制御手段は、撮像画面内の評価領域を変更することで前記撮影条件の決定方法を変更することを特徴とする請求項１に記載の撮像装置。
【請求項７】  前記制御手段は、前記撮像画面内の分割された各領域の大きさ又は重み付けを変更することで前記撮影条件の決定方法を変更することを特徴とする請求項６に記載の撮像装置。
【請求項８】  光学系により作られた光学像を電気信号に変換する撮像手段を有し、該撮像手段の出力に基づいて撮影条件を決定する撮像装置の制御方法であって、
光軸に対する前記撮像手段の傾斜を検出する傾斜検出手段を設け、
前記撮像手段の露光期間中に、前記傾斜検出手段によって前記撮像手段の傾斜が検出されたか否かを判定し、露光期間中に傾斜が検出された場合には、前記撮像手段の出力に基づく撮影条件の決定方法を変更することを特徴とする撮像装置の制御方法。
【請求項９】  前記撮像手段から得られた画像を逐次表示する表示手段上に画像を表示している場合にのみ、前記傾斜検出手段の検出結果に基づいて、前記撮像手段の出力を使用するか否かを決定することを特徴とする請求項８に記載の撮像装置の制御方法。
【請求項１０】  前記撮影条件は、測光動作を含むことを特徴とする請求項８に記載の撮像装置の制御方法。
【請求項１１】  前記撮影条件は、被写体の色温度を導出する測色動作を含むことを特徴とする請求項８に記載の撮像装置の制御方法。
【請求項１２】  前記撮影条件は、被写体の合焦度合いを導出する合焦動作を含むことを特徴とする請求項８に記載の撮像装置の制御方法。
【請求項１３】  撮像画面内の評価領域を変更することで前記撮影条件の決定方法を変更することを特徴とする請求項８に記載の撮像装置の制御方法。
【請求項１４】  前記撮像画面内の分割された各領域の大きさ又は重み付けを変更することで前記撮影条件の決定方法を変更することを特徴とする請求項１３に記載の撮像装置の制御方法。
【請求項１５】  請求項８乃至請求項１４のいずれかに記載の撮像装置の制御方法を実行するための、コンピュータ読み取り可能な制御プログラム。
【請求項１６】  請求項１５に記載のコンピュータ読み取り可能な制御プログラムを記憶した記憶媒体。
【請求項１７】  被写体像を作る光学系と、該光学系により作られた光学像を電気信号に変換する撮像手段と、該撮像手段の連続した出力に基づいて撮影条件を決定する制御手段と、光軸に対する前記撮像手段の回転傾斜を検出する回転傾斜検出手段とを有する撮像装置であって、
前記撮像手段の連続した出力が複数揃うまでの期間において、前記複数の前記撮像手段の出力に伴う露光中に、前記回転傾斜検出手段によって前記撮像手段の回転傾斜が検出されたか否かを判定する判定手段を有し、該判定手段の判定結果に応じて、前記期間に得られた前記撮像手段の出力の前記制御手段への入力を禁止することを特徴とする撮像装置。
【請求項１８】  被写体像を作る光学系と、該光学系により作られた光学像を電気信号に変換する撮像手段と、該撮像手段の連続した出力に基づいて撮影条件を決定する制御手段と、光軸に対する前記撮像手段の回転傾斜を検出する回転傾斜検出手段とを有する撮像装置の制御方法であって、
前記撮像手段の連続した出力が複数揃うまでの期間において、前記複数の前記撮像手段の出力に伴う露光中に、前記回転傾斜検出手段によって前記撮像手段の回転傾斜が検出されたか否かを判定し、該判定結果に応じて、前記期間に得られた前記撮像手段の出力に基づく制御を禁止することを特徴とする撮像装置の制御方法。
【手続補正３】
【補正対象書類名】明細書
【補正対象項目名】０００１
【補正方法】変更
【補正の内容】
【０００１】
【発明の属する技術分野】
本発明は、撮影条件を決定する機能を有する撮像装置及びその制御方法、並びに前記制御方法を実行するためのコンピュータ読み取り可能な制御プログラムに関する。
【手続補正４】
【補正対象書類名】明細書
【補正対象項目名】００１２
【補正方法】変更
【補正の内容】
【００１２】
本発明は上記従来の問題点に鑑み、撮像装置の姿勢状態に応じて、撮像素子の出力に基づいて撮影条件を決定する際に、撮像素子の露光期間中に発生した姿勢変化の影響を排除することができる撮像装置及びその制御方法、並びにコンピュータ読み取り可能な制御プログラムを提供することを目的とする。
【手続補正５】
【補正対象書類名】明細書
【補正対象項目名】００１３
【補正方法】変更
【補正の内容】
【００１３】
【課題を解決するための手段】
上記目的を達成するために、本発明の撮像装置は、被写体像を作る光学系と、該光学系により作られた光学像を電気信号に変換する撮像手段と、該撮像手段の出力に基づいて撮影条件を決定する制御手段と、光軸に対する前記撮像手段の傾斜を検出する傾斜検出手段とを有し、前記制御手段は、前記撮像手段の露光期間中に、前記傾斜検出手段によって前記撮像手段の傾斜が検出されたか否かを判定し、露光期間中に傾斜が検出された場合には、前記撮像手段の出力に基づく撮影条件の決定方法を変更することを特徴とする。
また、本発明の撮像装置の制御方法は、光学系により作られた光学像を電気信号に変換する撮像手段を有し、該撮像手段の出力に基づいて撮影条件を決定する撮像装置の制御方法であって、光軸に対する前記撮像手段の傾斜を検出する傾斜検出手段を設け、前記撮像手段の露光期間中に、前記傾斜検出手段によって前記撮像手段の傾斜が検出されたか否かを判定し、露光期間中に傾斜が検出された場合には、前記撮像手段の出力に基づく撮影条件の決定方法を変更することを特徴とする。
また、本発明のコンピュータ読み取り可能な制御プログラムは、上記撮像装置の制御方法を実行することを特徴とする。
また、本発明の記憶媒体は、上記コンピュータ読み取り可能な制御プログラムを記憶することを特徴とする。
また、本発明の撮像装置は、被写体像を作る光学系と、該光学系により作られた光学像を電気信号に変換する撮像手段と、該撮像手段の連続した出力に基づいて撮影条件を決定する制御手段と、光軸に対する前記撮像手段の回転傾斜を検出する回転傾斜検出手段とを有する撮像装置であって、前記撮像手段の連続した出力が複数揃うまでの期間において、前記複数の前記撮像手段の出力に伴う露光中に、前記回転傾斜検出手段によって前記撮像手段の回転傾斜が検出されたか否かを判定する判定手段を有し、該判定手段の判定結果に応じて、前記期間に得られた前記撮像手段の出力の前記制御手段への入力を禁止することを特徴とする。
また、本発明の撮像装置の制御方法は、被写体像を作る光学系と、該光学系により作られた光学像を電気信号に変換する撮像手段と、該撮像手段の連続した出力に基づいて撮影条件を決定する制御手段と、光軸に対する前記撮像手段の回転傾斜を検出する回転傾斜検出手段とを有する撮像装置の制御方法であって、前記撮像手段の連続した出力が複数揃うまでの期間において、前記複数の前記撮像手段の出力に伴う露光中に、前記回転傾斜検出手段によって前記撮像手段の回転傾斜が検出されたか否かを判定し、該判定結果に応じて、前記期間に得られた前記撮像手段の出力に基づく制御を禁止することを特徴とする。